(57)【要約】【課題】簡単な操作で、確実に内容物を繰り返し定量注出することができる注出器を提供する。【解決手段】内容物５２を収容する外筒１２と、外筒１２の一方に形成された開口部１６に設けられたフランジ部１８を有する。外筒１２に挿入されるプランジャー２０と、プランジャー２０の側周面に設けられた雄ネジ部３０と、プランジャー２０に取り付けられ雌ネジ部３８を有するストッパー３４を備える。ストッパー３４には、外筒１２のフランジ部１８に当接してプランジャー２０の押し込みを防ぐ当接板３７と、フランジ部１８に係合し、雌ネジ部３８の軸周り方向に係止されるとともに、軸方向には係止されない回り止め部５０を備える。プランジャー２０を軸周りに回転させると、ストッパー３４は、回り止め部５０により回転せず、雄ネジ部３０と雌ネジ部３８により軸方向に移動し、プランジャー２０の押し込み可能長さが変わる。【選択図】図１
2018008718.tif 000002
【特許請求の範囲】
【請求項１】
内容物を収容する外筒と、前記外筒の一方に形成された開口部に設けられたフランジ部と、前記外筒の前記開口部に摺動可能に挿入されるプランジャーと、前記プランジャーの側周面に設けられた雄ネジ部と、前記プランジャーに取り付けられ前記雄ネジ部に螺合する雌ネジ部を有するストッパーが設けられ、
前記ストッパーには、前記外筒の前記フランジ部に当接したときに前記プランジャーの押し込みを防ぐ当接板と、前記フランジ部に係合し前記雌ネジ部の軸周り方向に係止され軸方向には係止されない回り止め部が設けられ、
前記プランジャーは、前記外筒に対して軸周りに回転可能であり、前記プランジャーを軸周りに回転させたときに、前記ストッパーは、前記回り止め部により回転しないとともに、互いに螺合している前記雄ネジ部と前記雌ネジ部により軸方向に移動し、前記プランジャーの押し込み可能長さが変わることを特徴とする注出器。
【請求項２】
前記プランジャーの前記雄ネジ部には、前記プランジャーの軸方向に沿って位置決め溝が設けられ、前記ストッパーには前記位置決め溝に差し込まれる係止爪と、前記係止爪が一体に設けられ前記位置決め溝の深さ方向に可撓性を有する弾性片とが設けられ、前記プランジャーを回転させると、前記ストッパーが軸方向に所定の長さを移動する毎に前記係止爪が前記位置決め溝に嵌合され、前記位置決め溝の内側面の一部は、前記プランジャーの直径方向に沿って切り立って設けられ、前記ストッパーの前記係止爪が前記内側面に当接し、前記ストッパーが前記フランジ部に向かって軸方向に移動する方へ前記プランジャーを回転させることを防ぐ請求項１記載の注出器。
【請求項３】
前記ストッパーには前記雌ネジ部を形成する筒部が設けられ、前記筒部は、前記筒部の軸方向に沿う２本の切断線で分割された一対の分割パーツから成り、一方の切断線には、前記一対の分割パーツどうしを連結するヒンジが設けられ、他方の切断線には、一方の前記分割パーツに係止部が設けられ他方の前記分割パーツに前記係止部に係合される被係止部が設けられている請求項１記載の注出器。
【請求項４】
前記ストッパーには前記雌ネジ部を形成する筒部が設けられ、前記筒部は、前記筒部の軸方向に沿う２本の切断線で分割された一対の分割パーツから成り、一対の切断線には、一方の前記分割パーツに係止部が設けられ他方の前記分割パーツに前記係止部に係合される被係止部が設けられている請求項１記載の注出器。
【請求項５】
前記プランジャーには前記雄ネジ部の端部付近に空転溝が設けられている請求項１記載の注出器。
【請求項６】
前記外筒の前記フランジ部は、前記外筒の軸方向に交差する形状が一方向に長く設けられ、前記プランジャーの前記開口部の外側に位置する端部には一方向に長い形状の鍔部が設けられ、前記フランジ部の長手方向と前記鍔部の長手方向が前記プランジャーの回転により平行となる位置で、前記ストッパーの前記係止爪が前記プランジャーの前記位置決め溝に嵌合される請求項１又は２記載の注出器。
【発明の詳細な説明】
【技術分野】
【０００１】
この発明は、流動性を有する内容物が収容され、収容された内容物を繰り返し定量注出する注出器に関する。
【背景技術】
【０００２】
従来、流動性を有する内容物を収容する注出器として、所定の注出量を注出可能にした構造を有するものがある。例えば、特許文献１に開示されている注射器は、一端が解放された円筒形状であり、その解放端周囲にフランジを設け、他端に注射針の取り付け部を備えたシリンジと、このシリンジに摺動可能に挿入されるプランジャー部を含み、プランジャー部のプランジャーロッドには、移動可能なストッパーが設けられている。ストッパーが、前記シリンダと当接することにより、プランジャー部の移動距離を規制し、所定量の内容物を注出可能とするものである。ストッパーにはボルト状部材が設けられ、前記プランジャーには前記ボルト状部材に螺合されるナット状部材が設けられ、ストッパーを軸周りに回転させることによりプランジャー部におけるストッパーの位置を変えることができる。
【０００３】
また、特許文献２に開示されている定量注出可能な注出器は、シリンジと、ピストンと、ピストンを先端で支持するプランジャーとを備え、シリンジにはストローク量を制限するリング部材がプランジャーの周りを回転可能に取り付けられている。プランジャーには、リング部材に係止される複数のストローク量制限部が、プランジャーの軸線に沿って設けられている。リング部材は、軸周りに回転操作することにより、ストローク量制限部との係止を解除して、プランジャー後端側の次のストローク量制限部に係止し、プランジャーを押し込むことにより所定量を注出する。この操作を順次繰り返すことにより、連続的に、ストローク量制限部の配置間隔に応じた内容物を定量注出することができる。
【先行技術文献】
【特許文献】
【０００４】
【特許文献１】特開２００８ー１８０８８号公報
【特許文献２】特許第４９０７４５８号公報
【発明の概要】
【発明が解決しようとする課題】
【０００５】
上記背景技術の特許文献１の場合は、一定量の内容物を連続的に注出することは考えられておらず、ストッパーの位置を目盛りと比較しながらねじを回して所望の位置に合わせなければならず、操作が面倒であり不便である。
【０００６】
特許文献２の場合は、連続的に、ストローク量制限部の配置間隔に応じた内容物を定量注出することができるが、操作が面倒であり、歯科の治療等、細かい作業の途中で追加の内容物を繰り返し定量注出させることが困難である。
【０００７】
この発明は、上記背景技術の問題点に鑑みてなされたものであり、簡単な操作で、確実に内容物を繰り返し定量注出することができる注出器を提供することを目的とする。
【課題を解決するための手段】
【０００８】
本発明は、内容物を収容する外筒と、前記外筒の一方に形成された開口部に設けられたフランジ部と、前記外筒の前記開口部に摺動可能に挿入されるプランジャーと、前記プランジャーの側周面に設けられた雄ネジ部と、前記プランジャーに取り付けられ前記雄ネジ部に螺合する雌ネジ部を有するストッパーが設けられ、前記ストッパーには、前記外筒の前記フランジ部に当接したときに前記プランジャーの押し込みを防ぐ当接板と、前記フランジ部に係合し前記雌ネジ部の軸周り方向に係止され軸方向には係止されない回り止め部が設けられている注出器である。前記プランジャーは、前記外筒に対して軸周りに回転可能であり、前記プランジャーを軸周りに回転させたときに、前記ストッパーは、前記回り止め部により回転が止められ、互いに螺合している前記雄ネジ部と前記雌ネジ部により軸方向に移動し、前記プランジャーの押し込み可能長さが変わるものである。
【０００９】
また、前記プランジャーの前記雄ネジ部には、前記プランジャーの軸方向に沿って位置決め溝が設けられ、前記ストッパーには前記位置決め溝に差し込まれる係止爪と、前記係止爪が一体に設けられ前記位置決め溝の深さ方向に可撓性を有する弾性片とが設けられ、前記プランジャーを回転させると前記ストッパーが軸方向に所定の長さを移動する毎に前記係止爪が前記位置決め溝に嵌合されるものである。前記位置決め溝の内側面の一部は、前記プランジャーの直径方向に沿って切り立って設けられ、前記ストッパーの前記係止爪が前記内側面に当接して、切り立った内側面方向への回転を規制するので、前記ストッパーが前記フランジ部に向かって軸方向に移動する方へ前記プランジャーを回転させることを防ぐ。
【００１０】
また、前記ストッパーには前記雌ネジ部を形成する筒部が設けられ、前記筒部は、前記筒部の軸方向に沿う２本の切断線で分割された一対の分割パーツから成り、一方の切断線には、前記一対の分割パーツどうしを連結するヒンジが設けられ、他方の切断線には、一方の前記分割パーツに係止部が設けられ他方の前記分割パーツに前記係止部に係合される被係止部が設けられている。
【００１１】
また、前記ストッパーには前記雌ネジ部を形成する筒部が設けられ、前記筒部は、前記筒部の軸方向に沿う２本の切断線で分割された一対の分割パーツから成り、一対の切断線には、一方の前記分割パーツに係止部が設けられ、他方の前記分割パーツに前記係止部に係合される被係止部が設けられている。
【００１２】
前記プランジャーには前記雄ネジ部の端部付近に空転溝が設けられていると良い。また、前記外筒の前記フランジ部は、前記外筒の軸方向に交差する形状が一方向に長く設けられ、前記プランジャーの前記開口部の外側に位置する端部には一方向に長い形状の鍔部が設けられ、前記フランジ部の長手方向と前記鍔部の長手方向が前記プランジャーの回転により平行となる位置で、前記ストッパーの前記係止爪が前記プランジャーの前記位置決め溝に嵌合されるものである。
【発明の効果】
【００１３】
本発明の注出器は、簡単な操作で、確実に内容物を繰り返し定量注出することができる。プランジャーを軸周りに回す簡単な操作で、自動的にストッパーを、プランジャーの軸方向に沿って所定の長さを移動させることができ、プランジャーの押し込み長さを所定の長さに決めて、内容物を定量注出することができる。特に、歯科の治療等の細かい作業の途中でも簡単に一定量の内容物を注出することができる。
【図面の簡単な説明】
【００１４】
【図１】この発明の第一実施形態の注出器の斜視図である。
【図２】この発明の第一実施形態の注出器のストッパーの斜視図である。
【図３】この発明の第一実施形態の注出器のストッパーを一対の分割パーツに開いた状態を示す斜視図である。
【図４】この発明の第一実施形態の注出器の、ストッパーがフランジ部に当接した状態を示す正面図（ａ）と、ストッパーがフランジ部から所定の長さを移動した状態を示す正面図（ｂ）である。
【図５】図４（ａ）Ａ−Ａ線縦断面図である。
【図６】この発明の第一実施形態の注出器の、内容物の使用を開始する前にストッパーが空転溝に移動した状態を示す縦断面図（ａ）と、内容物の使用が終わった後に回り止め部がフランジ部から離れた状態を示す縦断面図（ｂ）である。
【図７】この発明の第二実施形態の注出器の斜視図である。
【図８】この発明の第二実施形態の注出器のストッパーの斜視図である。
【図９】この発明の第二実施形態の注出器のストッパーを一対の分割パーツに分割した状態を示す斜視図である。
【図１０】この発明の第二実施形態の注出器の、内容物の使用を開始する前にストッパーが空転溝に移動した状態を示す縦断面図（ａ）と、内容物の使用が終わった後にストッパーが空転溝に移動した状態を示す縦断面図（ｂ）である。
【発明を実施するための形態】
【００１５】
以下、この発明の実施形態について図面に基づいて説明する。図１〜図６はこの発明の第一実施形態を示すもので、この実施形態の注出器１０は、内容物５２を収容する外筒１２が設けられ、外筒１２の一方の端部は内容物５２を注出する注出口１４であり、図示しない注出用のノズルや針が取り付けられる。他方の端部は開口部１６であり、開口部１６の周縁部には外側へ突出するフランジ部１８が設けられている。フランジ部１８の、外筒１２の軸方向に交差する形状は長方形に形成され、外筒１２の直径よりも少し長い短辺１８ａと、短辺１８ａよりも長い長辺１８ｂを有し、長方形の中心に外筒１２の中心軸が位置している。
【００１６】
外筒１２には、その開口部１６からプランジャー２０が挿入されている。プランジャー２０の、外筒１２内に挿通されている一方の端部には、図６に示すように、外筒１２の内周面を摺動する円筒形の摺動部２２が一体に設けられ、摺動部２２の先端面には、凸部２２ａが設けられている。凸部２２ａには、外筒１２の内周面に密着して摺動するガスケット２４が取り付けられている。ガスケット２４は軸方向が短い円柱形であり、プランジャー２０側の面には凹部２４ａが形成されている。プランジャー２０の凸部２２ａが、ガスケット２４の凹部２４ａに差し込まれて密着し、摺動部２２とガスケット２４が連結されている。この部分の連結は、プランジャー２０に、軸周りに回転する方向にガスケット２４との摩擦抵抗より大きい力がかかっても、ガスケット２４は外筒１２内で回転せず、プランジャー２０のみが軸周りに回転する。
【００１７】
プランジャー２０の、外筒１２の外側に延出している端部には、鍔部２６が一体に設けられている。鍔部２６の、プランジャー２０の軸方向に交差する形状は、フランジ部１８よりも少し小さい長方形に形成され、長方形の中心にプランジャー２０の中心軸が位置している。鍔部２６は長手方向が湾曲し、一対の短辺２６ａは直線で、一対の長辺２６ｂは曲線であり、一対の短辺２６ａは鍔部２６の長手方向の中心よりも、プランジャー２０の延出方向と反対側に突出している。鍔部２６に、後述するストッパー３４を移動させるためにプランジャー２０を軸周りに回転させる方向を示す矢印のマーク等を設けてもよい。
【００１８】
プランジャー２０の側周面には、螺旋状の溝部２８が形成され、後述するストッパー３４が螺合する雄ネジ部３０となる。雄ネジ部３０には、プランジャー２０の軸方向に沿って直線の位置決め溝３２が、溝部２８に交差して設けられている。位置決め溝３２は図５に示すように一対が設けられ、プランジャー２０の直径方向に離れて位置している。なお、位置決め溝３２は、鍔部２６の一対の長辺２６ｂの長さの中間に各々位置している。位置決め溝３２は、長手方向に交差する断面がＬ字形に形成され、図５に示すように、時計回り方向に対して対面した内側面３２ａはプランジャー２０の断面の直径方向に沿って切り立って設けられ、さらに内側面３２ａに対して略直角に切除されて位置決め溝３２が形成されている。摺動部２２に隣接する部分には、螺旋状の溝部２８と略同一深さに凹んだ空転溝２９が設けられている。プランジャー２０の側周面の、鍔部２６に隣接する部分は、補強されて太くなっている。
【００１９】
プランジャー２０の雄ネジ部３０には、外筒１２の近傍にストッパー３４が取り付けられている。ストッパー３４には、雄ネジ部３０を覆う筒部３６が設けられ、筒部３６の内周面には、雄ネジ部３０の溝部２８に螺合する螺旋状の突起３５が形成された雌ネジ部３８が設けられている。筒部３６には、プランジャー２０に取り付けられた時に外筒１２側に位置する端部に、当接板３７が一体に設けられている。当接板３７は、小さい長方形に形成され、一対の短辺３７ａは、筒部３６の外径とほぼ同じ長さであり、一対の長辺３７ｂは、それより長くフランジ部１８の短辺１８ａとほぼ等しい。
【００２０】
筒部３６と当接板３７は、筒部３６の軸方向に沿う一対の切断線で２分割されている。切断線は、図５の左右に位置する部分、つまり当接板３７の一対の長辺３７ｂの長さの中間に各々位置している。図５の上側が分割パーツ３４ａであり、下側が分割パーツ３４ｂである。分割パーツ３４ａ，３４ｂは、図５において左側の切断線同士を連結するヒンジ３９が設けられて回転可能に連結されている。反対側、つまり図５において右側の切断線には、分割パーツ３４ａに、下方に突出する係止部４０が設けられ、分割パーツ３４ｂに、係止部４０が係止される被係止部４２が設けられ、容易に外れないよう強固に連結可能に設けられている。係止部４０と被係止部４２が係合されたとき、筒部３６は元の円筒形の雌ネジ部３８となり、当接板３７は元の一枚の板となる。
【００２１】
分割パーツ３４ａには、筒部３６にＬ字形のスリット４４が設けられている。スリット４４は、Ｌ字形の９０°に交差する一方の短い直線が、当接板３７と反対側の端部に略直角に連通し、ヒンジ３９と係止部４０の中間に位置している。他方の長い直線は、短い直線の端部から、筒部３６の円周に沿ってヒンジ３９側に向かって延出し、ヒンジ３９の近傍に達している。スリット４４と、分割パーツ３４ａの端部に囲まれた部分は、弾性片４６となる。弾性片４６は、ヒンジ３９側が基端部となり、スリット４４の短い直線に接する端部が自由端となり、自由端が筒部３６の直径方向に移動してたわむものである。弾性片４６の自由端には、筒部３６の内周面に、係止爪４８が設けられている。係止爪４８は、図５に示すように、筒部３６の軸方向に対して直角な断面が三角形状であり、筒部３６の内周面に突出し、スリット４４の短い直線に連続する面は筒部３６の直径に沿って位置し、反対側の面はそれに対して直角よりも若干鋭角に位置している。係止爪４８は、プランジャー２０に設けられた位置決め溝３２に嵌合される形状である。
【００２２】
分割パーツ３４ｂには、当接板３７の短辺３７ａに連続して回り止め部５０が設けられている。回り止め部５０は、当接板３７に対して略直角に交差して筒部３６と反対側に突出する板体であり、当接板３７の短辺３７ａと同じ幅で設けられ、先端縁部は外側に膨出する曲線で形成されている。回り止め部５０の、筒部３６の延長線側の面は当接面５０ａであり、プランジャー２０に取り付けられた時に、当接面５０ａはフランジ部１８の長辺１８ｂに当接する。
【００２３】
上記各部材のうち、外筒１２、プランジャー２０、ストッパー３４の材料は、ポリオレフィン、ポリエステル等の合成樹脂で作られている。ガスケット２４は、天然ゴム、イソプレンゴム、ブタジエンゴム、シリコーンゴム、熱可塑性エラストマーのような弾性的な各種材料で作られている。
【００２４】
次に、注出器１０の組立方法と動作について説明する。プランジャー２０にガスケット２４を取り付け、外筒１２の奥まで挿入し、注出口１４から内容物５２を入れる。ガスケット２４は外筒１２のフランジ部１８に近い位置に移動し、プランジャー２０はフランジ部１８から長く外側に突出する。プランジャー２０の雄ネジ部３０に、フランジ部１８の近傍で、ストッパー３４を取り付ける。ストッパー３４は、分割パーツ３４ａ，３４ｂを、ヒンジ３９を中心として開いた状態で、雄ネジ部３０を挟み、ヒンジ３９を閉じて係止部４０と被係止部４２を係合させて雌ネジ部３８を形成し、雄ネジ部３０に螺合する。ストッパー３４の回り止め部５０がフランジ部１８の一対の長辺１８ｂのどちらか一方に交差して当接し、回り止め部５０の先端はフランジ部１８の外筒１２側に突出する。これにより、回り止め部５０はフランジ部１８に係合し、雌ネジ部３８の軸周り方向、つまり外筒１２の軸周り方向に係止される。しかし、雌ネジ部３８及び外筒１２の軸方向には係止されず、軸方向の移動が可能である。
【００２５】
プランジャー２０に、軸周りに回転させる力を少し加えても、プランジャー２０は、摺動部２２の凸部２２ａがガスケット２４の凹部２４ａに嵌合され、さらにガスケット２４は外筒１２に密着されているため、外筒１２に対して回転しない。しかし、プランジャー２０を軸周りに回転させる力が、凸部２２ａと凹部２４ａの摩擦力よりも大きくなった時、ガスケット２４は外筒１２に対して回転せずに、プランジャー２０のみが軸周りに回転する。
【００２６】
ストッパー３４は、回り止め部５０がフランジ部１８に係合されている時は、外筒１２に対して軸周りに回転しない。この状態でプランジャー２０を軸周りに回転させると、ストッパー３４はプランジャー２０の雄ネジ部３０に螺合されているため、軸方向に移動する。プランジャー２０を、図５において時計回りに回転させるとストッパー３４はフランジ部１８から離れる方に移動する。反時計回りに回転させるとストッパー３４はフランジ部１８に近づく方に移動する。回り止め部５０がフランジ部１８から離間している時は、プランジャー２０の軸周りの回転に追従して共に回るため、移動しない。
【００２７】
プランジャー２０を軸周りに回転させると、ストッパー３４の係止爪４８は、プランジャー２０の雄ネジ部３０の側周面に当接し、弾性片４６が僅かに外側にたわむ。プランジャー２０を軸周りに更に回転させると、係止爪４８が位置決め溝３２に嵌合され、弾性片４６の弾性変形が復元し、クリック感を生じて位置決め溝３２に嵌合される。位置決め溝３２は、図５において時計回り側の内側面３２ａがプランジャー２０の直径方向に沿って設けられているため、プランジャー２０を反時計回りに回転させることが規制され、時計回りのみ回転する。
【００２８】
次に、注出器１０の使用方法について説明する。使用時には、注出口１４に図示しない注出用のノズルや針を取り付ける。この後、プランジャー２０を押して、ガスケット２４を移動させ、内容物５２を注出口１４から注出する。プランジャー２０は、ストッパー３４の当接板３７がフランジ部１８に当たる位置で押し込みが止まる。プランジャー２０は、前述のように外筒１２とストッパー３４に対して図５の反時計回りの回転は規制され、時計回りのみに回転が可能である。プランジャー２０を時計回りに回転する方向に力を加えると、ガスケット２４の凹部２４ａとプランジャー２０の凸部２２ａの摩擦力よりも大きい力になった時、ガスケット２４は回転せず、プランジャー２０のみ軸周りに回転する。ストッパー３４は、回り止め部５０によって外筒１２のフランジ部１８に係合されて軸周りの回転を止められ、雄ネジ部３０に螺合されているため、プランジャー２０の軸方向に沿って、フランジ部１８から離れる方に移動する。
【００２９】
プランジャー２０が回転している時、プランジャー２０の位置決め溝３２に、ストッパー３４の係止爪４８が一致すると、クリック感が発生して嵌合される。１回嵌合するまで回転させると、どのくらいの体積の内容物５２が注出される長さに相当するかをあらかじめ設定しておけば、内容物５２の所定の注出量を定量することが可能となる。なお、ストッパー３４の係止爪４８が位置決め溝３２に嵌合されたとき、鍔部２６の長辺２６ｂと、フランジ部１８の長辺１８ｂが平行となる。このことからも嵌合する位置がわかる。そして、鍔部２６を押してプランジャー２０を押し込み、注出口１４から内容物５２を注出する。ストッパー３４の当接板３７がフランジ部１８に当たる位置で押し込みが止まり、一定量が注出される。これを繰り返し、内容物５２を一定量ずつ注出して使用する。
【００３０】
位置決め溝３２は一対が設けられ、プランジャー２０を１８０°回転させる毎に１回嵌合するものであり、注出量は半回転毎に小さく設定される。プランジャー２０の鍔部２６と、外筒１２のフランジ部１８の長手方向の向きが同一になるまで一ひねりするだけの簡単な操作で、所定の内容物５２の注出量を定量することができる。さらに注出量が必要な場合は、半回転を単位量として、回り止め部５０がフランジ部１８から離れない範囲で複数回、回転させる。
【００３１】
プランジャー２０を回しすぎると、ストッパー３４の回り止め部５０がフランジ部１８から離れ、プランジャー２０とともに回転し、プランジャー２０に沿ってそれ以上移動することがないので、誤操作による過量の注出を防止することができる。プランジャー２０は位置決め溝３２に係止爪４８が嵌合されて反時計回りには規制されているが、大きい力で反時計回りに回した場合、位置決め溝３２を乗り越えて回転する程度の深さに設定されており、誤操作で逆に回したときのストッパー３４の破損を防ぐ。
【００３２】
なお、内容物５２の使用を開始する際にプランジャー２０の雄ネジ部３０が外筒１２から突出した位置から誤操作で逆に回した場合は、図６(ａ)に示すようにストッパー３４が空転溝２９に移動して螺合が解除され空回りするため、破損することがない。図６（ｂ）に示すように内容物５２の使用が終わって更にプランジャーを回転させた場合、ストッパー３４が鍔部２６に螺合の力で押し付けられて破損する恐れがある。このため、ストッパー３４が鍔部２６に押し付けられる前に、回り止め部５０がフランジ部１８から離れるように、回り止め部５０の長さと雄ネジ部３０の長さを設定する。
【００３３】
この実施形態の注出器１０によれば、簡単な操作で、確実に内容物５２を繰り返し定量注出することができる。プランジャー２０を軸周りに回す簡単な操作で、自動的にストッパー３４をプランジャー２０の軸方向に沿って所定の位置まで移動させることができ、プランジャー２０の押し込み長さを所定の長さに決めて、内容物５２を定量注出することができる。例えば、歯科の治療等の細かい作業の途中でも簡単に一定量の内容物５２を追加して注出することができる。特に、内容物５２が出すぎることを防ぎ、プランジャー２０を押す力の加減を意識する必要がなく、作業が容易である。内容物５２が出すぎることがないため、周囲を汚したり、皮膚に付着して内容物５２の成分により皮膚に負担をかけたりすることがない。鍔部２６が長方形に設けられ、鍔部２６を回すことでプランジャー２０を簡単に軸周りに回すことができる。鍔部２６の長辺２６ｂを、フランジ部１８の長辺１８ｂに対して略平行にしたときにストッパー３４の係止爪４８が位置決め溝３２に嵌合するため、係止爪４８が位置決め溝３２に嵌合する位置が予想しやすく、操作が容易である。
【００３４】
次にこの発明の第二実施形態について図７〜図１０に基づいて説明する。なお、ここで、上記実施形態と同様の部材は同様の符号を付して説明を省略する。この実施形態の注出器５３は、プランジャー２０の摺動部２２に隣接する部分と、鍔部２６に隣接する部分には、溝部２８に連通し略同一深さに凹んだ一対の空転溝２９が設けられている。プランジャー２０の鍔部２６と空転溝２９の間の短い部分は、補強されて太くなっている。
【００３５】
プランジャー２０の雄ネジ部３０には、外筒１２の近傍にストッパー５４が取り付けられている。ストッパー５４には、雄ネジ部３０を覆う筒部５６が設けられ、筒部５６の内周面には、雄ネジ部３０の溝部２８に螺合する螺旋状の突起５５が形成された雌ネジ部５８が設けられている。筒部５６には、プランジャー２０に取り付けられた時に外筒１２側に位置する端部に、当接板６０が一体に設けられている。当接板６０は、小さい長方形に形成され、一対の短辺６０ａは、筒部５６の外径とほぼ同じ長さであり、一対の長辺６０ｂは、それより長くフランジ部１８の短辺１８ａとほぼ等しい。
【００３６】
当接板６０の一対の短辺６０ａには、互いに同形状の回り止め部６１が各々設けられている。回り止め部６１は、当接板６０に対して略直角に交差して筒部５６と反対側に突出する板体であり、当接板６０の短辺６０ａと同じ幅で設けられ、先端縁部６１ｂは短辺６０ａに対して略平行な直線であり、当接板６０の一対の短辺６０ａから少し離れた位置で、筒部５６の延長線側に向かって約９０°に折り曲げられ、一対の先端縁部６１ｂが互いに近づくように形成されている。回り止め部６１の、筒部５６の延長線側の面、つまり一対の回り止め部６１が互いに対面する面は当接面６１ａであり、プランジャー２０に取り付けられた時に、当接面６１ａはフランジ部１８の長辺１８ｂに当接する。
【００３７】
筒部５６と当接板６０は、筒部５６の軸方向に沿う一対の切断線で２分割されている。切断線は、当接板６０の一対の長辺６０ｂの長さの中間に各々位置している。上側が分割パーツ５４ａであり、下側が分割パーツ５４ｂである。分割パーツ５４ａの一対の切断線には、下方に突出する係止部６２が各々設けられ、分割パーツ５４ｂの一対の切断線には、係止部６２が係止される被係止部６４が設けられ、連結と解除が自在である。係止部６２と被係止部６４が係合されたとき、筒部５６は元の円筒形の雌ネジ部５８となり、当接板６０は元の一枚の板となり、一対の回り止め部６１は互いに平行に位置する。
【００３８】
分割パーツ５４ａには、筒部５６にＬ字形のスリット４４が設けられ、スリット４４に囲まれた部分は、弾性片４６となり、スリット４４の自由端には、筒部５６の内周面に、係止爪４８が設けられている。係止爪４８は、プランジャー２０に設けられた位置決め溝３２に嵌合される形状である。
【００３９】
次に、注出器５３の組立方法と動作について説明する。プランジャー２０にガスケット２４を取り付け、外筒１２の奥まで挿入し、注出口１４から内容物５２を入れる。ガスケット２４は外筒１２のフランジ部１８に近い位置に移動し、プランジャー２０はフランジ部１８から長く外側に突出する。プランジャー２０の雄ネジ部３０に、フランジ部１８の近傍で、ストッパー５４を取り付ける。ストッパー５４は、分割パーツ５４ａと分割パーツ５４ｂが互いに離れた状態で、雄ネジ部３０を挟み、一対の係止部６２と被係止部６４を各々係合させて雌ネジ部５８を形成し、雄ネジ部３０に螺合する。ストッパー５４の一対の回り止め部６１がフランジ部１８の一対の長辺１８ｂに各々交差して当接し、回り止め部６１の先端縁部６１ｂがフランジ部１８の外筒１２側に折り曲げられて係合し、抜け落ち防止機能を持つ。これにより、ストッパー５４は雌ネジ部５８の軸周り方向、つまり外筒１２の軸周り方向に係止されるとともに、雌ネジ部５８と雄ネジ部３０の螺合により外筒１２の軸方向に係止され、プランジャー２０の回転によって回り止め部６１の長さの範囲で軸方向の移動が可能となる。
【００４０】
プランジャー２０を軸周りに回転させると、ストッパー５４は軸方向に移動する。係止爪４８が位置決め溝３２に嵌合された時は、弾性片４６の弾性変形が復元し、クリック感を生じて位置決め溝３２に嵌合される。
【００４１】
次に、注出器５３の使用方法は、上記実施の形態と同様である。なお、プランジャー２０を回しすぎると、ストッパー５４の回り止め部６１がフランジ部１８から離れる方向に移動するが、回り止め部６１の先端縁部６１ｂが、フランジ部１８に係止され、回転を止める。よって、内容物５２の出し過ぎを防ぐ。
【００４２】
なお、内容物５２の使用を開始する際にプランジャー２０の雄ネジ部３０が外筒１２から突出した位置から誤操作で逆に回した場合は、図１０（ａ）に示すように、ストッパー５４が空転溝２９に移動して螺合が解除されて空回りするため、螺合の力でストッパー５４がネジ終端部に押し付けられて破損することがない。図１０（ｂ）に示すように内容物５２の使用が終わって更にプランジャーを回転させた場合、ストッパー５４が鍔部２６に螺合の力で押し付けられて破損しないように、ストッパー５４は鍔部２６側の空転溝２９に移動して空回りする。
【００４３】
この実施形態の注出器５３によれば、上記実施の形態と同様の効果を有するものである。ストッパー５４の回り止め部６１は、先端縁部６１ｂがフランジ部１８に係止されているため、ストッパー５４はフランジ部１８から所定距離以上に離れることがなく、内容物５２の出し過ぎを防ぐことができる。また、鍔部２６側にも空転溝２９が設けられているため、内容物５２の使用が終わった後に、さらにストッパー５４を回しても、ストッパー５４の破損を防ぐことができる。
【００４４】
なお、この発明の注出器は、上記各実施の形態に限定されるものではなく、各部材の形状など適宜変更可能である。フランジ部と鍔部の形状は、長方形以外に楕円や長丸など、一方向に長い形状であれば良い。雄ネジ部及び雌ネジ部のリードは、内容物の注出量に合わせて適宜設定する。位置決め溝は一対が設けられていなくてもよく、１本でもよい。内容物は流動性を有するものであればよく、歯科治療用の充填材以外に何でもよく、抗がん剤等、注出量が決められている薬剤でもよい。
【符号の説明】
【００４５】
１０，５３  注出器
１２  外筒
１４  注出口
１６  開口部
１８  フランジ部
２０  プランジャー
２６  鍔部
２９  空転溝
３０  雄ネジ部
３２  位置決め溝
３２ａ  内側面
３４，５４  ストッパー
３４ａ，３４ｂ，５４ａ，５４ｂ  分割パーツ
３６，５６  筒部
３７，６０  当接板
３８，５８  雌ネジ部
３９  ヒンジ
４０，６２  係止部
４２，６４  被係止部
４６  弾性片
４８  係止爪
５０，６１  回り止め部
５２  内容物
【図１】
2018008718.tif 000003
【図２】
2018008718.tif 000004
【図３】
2018008718.tif 000005
【図４】
2018008718.tif 000006
【図５】
2018008718.tif 000007
【図６】
2018008718.tif 000008
【図７】
2018008718.tif 000009
【図８】
2018008718.tif 000010
【図９】
2018008718.tif 000011
【図１０】
2018008718.tif 000012